(57)【特許請求の範囲】
【請求項１】
店舗内に設置された複数のＰＯＳレジスタに入力された情報を販売情報として取得し管理する管理サーバであって、
前記複数のＰＯＳレジスタそれぞれに予め設定されたレジスタ識別情報に対応付けして、前記販売情報を記憶する販売情報記憶手段と、
前記複数のＰＯＳレジスタそれぞれから前記レジスタ識別情報が提示された前記販売情報を取得する販売情報取得手段と、
該販売情報取得手段により取得された販売情報を、提示されたレジスタ識別情報に対応付けして前記販売情報記憶手段に保存する販売情報保存手段と、
レジスタ識別情報の調整指示を受け付ける調製指示受付手段と、
前記調整指示に応じて入換前後の各ＰＯＳレジスタのレジスタ識別情報を同一のＰＯＳレジスタのレジスタ識別情報とするために前記販売情報記憶手段に保存されているレジスタ識別情報に所定の調整を行う識別情報調整手段と、
前記複数のＰＯＳレジスタそれぞれの故障を検知する故障検知手段とを含み、
前記販売情報保存手段は、前記故障検知手段によって故障が検知されたＰＯＳレジスタのレジスタ識別情報と同一のレジスタ識別情報が提示された場合に、レジスタ識別情報を新たに付与し、付与したレジスタ識別情報に対応する販売情報の記憶領域を新たに確保し、確保した記憶領域に販売情報を保存する
ことを特徴とする管理サーバ。
【請求項２】
前記識別情報調整手段は、前記所定の調整として、前記調整指示にて指定された入換後のＰＯＳレジスタのレジスタ識別情報を当該調整指示にて指定された入換前のＰＯＳレジスタのレジスタ識別情報に書き換える
請求項１記載の管理サーバ。
【請求項３】
前記識別情報調整手段は、前記所定の調整として、前記調整指示にて指定された入換後のＰＯＳレジスタのレジスタ識別情報と、当該調整指示にて指定された入換前のＰＯＳレジスタのレジスタ識別情報とを対応付けする処理を行う
請求項１または請求項２記載の管理サーバ。
【請求項４】
店舗内に設置された複数のＰＯＳレジスタに入力された情報を販売情報として取得し管理するように管理サーバに動作制御させるための管理プログラムであって、
前記管理サーバに、
前記複数のＰＯＳレジスタそれぞれから前記レジスタ識別情報が提示された前記販売情報を取得する販売情報取得処理と、
該販売情報取得処理にて取得された販売情報を、提示されたレジスタ識別情報に対応付けして、前記複数のＰＯＳレジスタそれぞれに予め設定されたレジスタ識別情報に対応付けして前記販売情報を記憶する販売情報記憶手段に保存する販売情報保存処理と、
レジスタ識別情報の調整指示を受け付ける調製指示受付処理と、
前記調整指示に応じて入換前後の各ＰＯＳレジスタのレジスタ識別情報を同一のＰＯＳレジスタのレジスタ識別情報とするために前記販売情報記憶手段に保存されているレジスタ識別情報に所定の調整を行う識別情報調整処理と、
前記複数のＰＯＳレジスタそれぞれの故障を検知する故障検知処理とを実行させ、
前記販売情報保存処理では、前記故障検知処理にて故障が検知されたＰＯＳレジスタのレジスタ識別情報と同一のレジスタ識別情報が提示された場合に、レジスタ識別情報を新たに付与し、付与したレジスタ識別情報に対応する販売情報の記憶領域を新たに確保し、確保した記憶領域に販売情報を保存する処理を
実行させるための管理プログラム。
【請求項５】
前記識別情報調整処理において、前記所定の調整として、前記調整指示にて指定された入換後のＰＯＳレジスタのレジスタ識別情報を当該調整指示にて指定された入換前のＰＯＳレジスタのレジスタ識別情報に書き換える処理を実行させるための
請求項４記載の管理プログラム。
【請求項６】
前記識別情報調整処理では、前記所定の調整として、前記調整指示にて指定された入換後のＰＯＳレジスタのレジスタ識別情報と、当該調整指示にて指定された入換前のＰＯＳレジスタのレジスタ識別情報とを対応付けする処理を実行させる
請求項４または請求項５に記載の管理プログラム。
【発明の詳細な説明】
【技術分野】
【０００１】
本発明は、店舗内に設置された複数のＰＯＳレジスタに入力された情報を販売情報として取得し管理する管理サーバ、及び管理プログラムに関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【０００３】
このようなＰＯＳシステムには、店舗などに設置されるＰＯＳレジスタに入力される情報をサーバで管理するものもある（例えば、特許文献１，３参照）。
【先行技術文献】
【特許文献】
【０００４】
【特許文献１】特開２００５−１６５６２９号公報
【特許文献２】特開２００５−２２８０２１号公報
【特許文献３】特開２００２−０９２７４４号公報
【発明の概要】
【発明が解決しようとする課題】
【０００５】
しかしながら、従来のＰＯＳシステムでは、１つの店舗におけるＰＯＳレジスタが故障などにより動作しなくなったときに、代わりのＰＯＳレジスタ（以下、適宜「入換ＰＯＳレジスタ」と呼ぶ。）を使用する場合、環境設定にかかるユーザの作業負担が大きくなる場合があるという問題があった。なお、「環境設定」とは、ＰＯＳコードの設定や、専門業者による各種情報の入力など、ＰＯＳレジスタを入れ換えるのに必要な各種調整（あるいは、設定変更）を意味する。
【０００６】
本発明は、上述した問題を解消し、ＰＯＳレジスタの入換に要する作業負担を軽減させることができるようにすることを目的とする。
【課題を解決するための手段】
【０００７】
本発明の管理サーバは、店舗内に設置された複数のＰＯＳレジスタに入力された情報を販売情報として取得し管理する管理サーバであって、前記複数のＰＯＳレジスタそれぞれに予め設定されたレジスタ識別情報に対応付けして、前記販売情報を記憶する販売情報記憶手段と、前記複数のＰＯＳレジスタそれぞれから前記レジスタ識別情報が提示された前記販売情報を取得する販売情報取得手段と、該販売情報取得手段により取得された販売情報を、提示されたレジスタ識別情報に対応付けして前記販売情報記憶手段に保存する販売情報保存手段と、レジスタ識別情報の調整指示を受け付ける調製指示受付手段と、前記調整指示に応じて入換前後の各ＰＯＳレジスタのレジスタ識別情報を同一のＰＯＳレジスタのレジスタ識別情報とするために前記販売情報記憶手段に保存されているレジスタ識別情報に所定の調整を行う識別情報調整手段と、前記複数のＰＯＳレジスタそれぞれの故障を検知する故障検知手段とを含み、前記販売情報保存手段は、前記故障検知手段によって故障が検知されたＰＯＳレジスタのレジスタ識別情報と同一のレジスタ識別情報が提示された場合に、レジスタ識別情報を新たに付与し、付与したレジスタ識別情報に対応する販売情報の記憶領域を新たに確保し、確保した記憶領域に販売情報を保存することを特徴とする。
【０００８】
上記の構成としたことで、ＰＯＳレジスタの入換に要する作業負担を軽減させることができるようになる。
【００１１】
前記識別情報調整手段は、前記所定の調整として、前記調整指示にて指定された入換後のＰＯＳレジスタのレジスタ識別情報を当該調整指示にて指定された入換前のＰＯＳレジスタのレジスタ識別情報に書き換える構成とされていてもよい。
【００１２】
前記識別情報調整手段は、前記所定の調整として、前記調整指示にて指定された入換後のＰＯＳレジスタのレジスタ識別情報と、当該調整指示にて指定された入換前のＰＯＳレジスタのレジスタ識別情報とを対応付けする処理を行う構成とされていてもよい。
【００１３】
また、本発明の管理プログラムは、店舗内に設置された複数のＰＯＳレジスタに入力された情報を販売情報として取得し管理するように管理サーバに動作制御させるための管理プログラムであって、前記管理サーバに、前記複数のＰＯＳレジスタそれぞれから前記レジスタ識別情報が提示された前記販売情報を取得する販売情報取得処理と、該販売情報取得処理にて取得された販売情報を、提示されたレジスタ識別情報に対応付けして、前記複数のＰＯＳレジスタそれぞれに予め設定されたレジスタ識別情報に対応付けして前記販売情報を記憶する販売情報記憶手段に保存する販売情報保存処理と、レジスタ識別情報の調整指示を受け付ける調製指示受付処理と、前記調整指示に応じて入換前後の各ＰＯＳレジスタのレジスタ識別情報を同一のＰＯＳレジスタのレジスタ識別情報とするために前記販売情報記憶手段に保存されているレジスタ識別情報に所定の調整を行う識別情報調整処理と、前記複数のＰＯＳレジスタそれぞれの故障を検知する故障検知処理とを実行させ、前記販売情報保存処理では、前記故障検知処理にて故障が検知されたＰＯＳレジスタのレジスタ識別情報と同一のレジスタ識別情報が提示された場合に、レジスタ識別情報を新たに付与し、付与したレジスタ識別情報に対応する販売情報の記憶領域を新たに確保し、確保した記憶領域に販売情報を保存する処理を実行させるためのものである。
【発明の効果】
【００１４】
本発明によれば、ＰＯＳレジスタの入換に要する作業負担を軽減させることができるようになる。
【図面の簡単な説明】
【００１５】
【図１】本発明の一実施の形態におけるＰＯＳレジスタ管理システムの構成の例を示すブロック図である。
【図２】販売情報の格納状態の例を示す説明図である。
【図３】ＰＯＳレジスタ管理処理の例を示すフローチャートである。
【図４】ＰＯＳレジスタ管理処理の例を示すフローチャートである。
【図５】ＰＯＳレジスタ管理処理による、管理サーバＤＢに記憶される情報の変化について説明するための説明図である
【図６】調整指示入力画面の例について説明するための説明図である。
【発明を実施するための形態】
【００１６】
以下、本発明の一実施の形態について図面を参照して説明する。
【００１７】
図１は、本発明の一実施の形態に係るＰＯＳレジスタ管理システム１００の構成の例を示すブロック図である。図１に示すように、ＰＯＳレジスタ管理システム１００は、管理サーバ１０と、複数のＰＯＳレジスタ２１〜２Ｎ（Ｎ：任意の正の整数）と、店舗端末３０とを含む。
【００１８】
管理サーバ１０と店舗端末３０は、例えばインターネットなどの通信ネットワーク５０に接続されている。また、店舗端末３０と複数のＰＯＳレジスタ２１〜２Ｎは、ＬＡＮなどの通信ネットワーク６０で接続されている。
【００１９】
本例においては、１つの店舗内に設置されたＰＯＳレジスタ２１〜２Ｎを店舗端末３０が統合管理し、店舗外に設置された管理サーバ１０と店舗端末３０とが通信する場合について説明する。なお、店舗端末３０が、複数の店舗に設置されたＰＯＳレジスタに入力された情報を統合管理する構成としてもよい。また、店舗端末３０の処理前にＰＯＳデータイントラ処理を行うコンピュータなどがＰＯＳレジスタ管理システム１００に含まれていてもよい。
【００２０】
管理サーバ１０は、ＷＷＷサーバなどの情報処理装置によって構成される。
【００２１】
管理サーバ１０は、例えばＰＯＳレジスタ管理システム１００のシステム管理者によって管理されるサーバであり、複数のＰＯＳレジスタ２１〜２Ｎそれぞれに入力される情報を管理するための各種の処理を実行する。本例においては、管理サーバ１０は、店舗端末３０を介して、複数のＰＯＳレジスタ２１〜２Ｎそれぞれに入力される情報を管理する。
【００２２】
具体的には、本例における管理サーバ１０は、店舗内に設置された複数のＰＯＳレジスタ２１〜２Ｎに入力された情報を販売情報として取得し管理するために、複数のＰＯＳレジスタそれぞれに予め設定されたレジスタ識別情報に対応付けして、販売情報を記憶する販売情報記憶部として機能する管理サーバＤＢ１１を備え、複数のＰＯＳレジスタ２１〜２Ｎそれぞれからレジスタ識別情報が提示された販売情報を取得する販売情報取得処理と、販売情報取得処理にて取得した販売情報を、提示されたレジスタ識別情報に対応付けして管理サーバＤＢ１１に保存する販売情報保存処理と、レジスタ識別情報の調整指示を受け付ける調製指示受付処理と、調整指示に応じて入換前後の各ＰＯＳレジスタのレジスタ識別情報を同一のＰＯＳレジスタのレジスタ識別情報とするために管理サーバＤＢ１１に保存されているレジスタ識別情報に所定の調整を行う識別情報調整処理とを実行するための機能を有する。
【００２３】
管理サーバＤＢ１１は、複数のＰＯＳレジスタ２１〜２Ｎそれぞれに入力される情報を統合管理するための各種の情報が格納されるデータベース（ＤＢ）である。なお、管理サーバＤＢ１１は、管理サーバ１０の内部にあっても外部にあってもよい。
【００２４】
図２は、管理サーバＤＢ１１に格納される販売情報の格納状態の例を示す説明図である。図２に示すように、本例においては、管理サーバＤＢ１１には、店舗毎に記憶されたレジスタ識別情報に対応付けした状態で、販売情報が格納される。
【００２５】
ここで、「レジスタ識別情報」とは、複数のＰＯＳレジスタそれぞれに予め設定された識別情報である。以下、適宜、店舗端末３０が設置された店舗Ａを例にして説明を行う。
【００２６】
店舗Ａには、３箇所に１つずつＰＯＳレジスタが設置されており（ＰＯＳレジスタ２１，２２，２３）、それぞれに対応するレジスタ識別情報として「１」「２」「３」が、予め管理サーバＤＢ１１に設定されていることとする。
【００２７】
この場合に、管理サーバＤＢ１１には、３つのＰＯＳレジスタ２１〜２３に入力された販売情報が、それぞれ対応する記憶領域に保存される。
【００２８】
なお、本例における「販売情報」とは、ＰＯＳレジスタ毎の商品の販売実績などを示す情報であり、例えば、ＰＯＳデータや日時情報などが含まれる。なお、「ＰＯＳデータ」は、例えば、ＰＯＳコードと、該当する商品のカテゴリ（商品カテゴリ）と、商品名と、商品の価格とを含む。また、「ＰＯＳコード」は、例えば、該当する商品のＪＡＮコードと同一のコードが使用されることとされ、該当添付において取り扱われる所定の商品を一意に特定するために設定されたコードを意味する。
【００２９】
ＰＯＳレジスタ２１〜２Ｎは、それぞれ、店舗内に設けられている購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。
【００３０】
店舗端末３０は、パーソナルコンピュータなどの情報処理装置で構成される。
【００３１】
店舗端末３０は、店舗内に設置されたＰＯＳレジスタ２１〜２Ｎに入力される情報を統合管理して、管理サーバ１０に送信する処理を実行する機能を備える。
【００３２】
次に、本例のＰＯＳレジスタ管理システム１００の動作について説明する。
【００３３】
図３と図４は、本例のＰＯＳレジスタ管理システム１００における管理サーバ１０と店舗端末３０とが実行するＰＯＳレジスタ管理処理の例を示すフローチャートである。ここでは、管理サーバＤＢ１１内に販売情報の記憶領域を確保するための処理（販売情報保存処理。図３参照。）と、管理サーバＤＢ１１に保存されたレジスタ識別情報を調整するための処理（識別情報調整処理。図４参照。）とが実行される。なお、本発明に特に関わる処理以外は、説明を省略している場合があるものとする。
【００３４】
図５は、ＰＯＳレジスタ管理処理による、管理サーバＤＢ１１に記憶される情報の変化について説明するための説明図である。図５（Ａ）に示すように、管理サーバＤＢ１１に、店舗Ａに対応する３つのレジスタ識別情報と、３つのレジスタ識別情報に対応する販売情報とが記憶されているとする。このとき、管理サーバ１０が、店舗Ａに対応するレジスタ識別情報として予め設定されたレジスタ識別情報とは異なるレジスタ識別情報（予備番号）が提示された販売情報（例えば、レジスタ識別情報「１０１」が提示された販売情報）を受け付けると、図５（Ｂ）に示すように、新たな記憶領域を確保する。そして、管理サーバ１０は、店舗端末３０から受け付ける調整指示に応じて、図５（Ｃ）に示すように、レジスタ識別情報を調整する。この調整により、管理サーバ１０は、新たに確保した記憶領域に保存された販売情報と、最初から設定されていたレジスタ識別情報に対応付けて記憶された販売情報との対応付けを行う。
【００３５】
図３に示す販売情報保存処理は、例えば、店舗端末３０が、３つのＰＯＳレジスタ２１〜２３から、所定の情報を含む販売開始通知を受け付けたことにより開始される。
【００３６】
販売情報保存処理において、先ず、店舗端末３０は、管理下にあるＰＯＳレジスタ群（本例においては、３つのＰＯＳレジスタ２１〜２３）から販売情報を受信する（ステップＳ１０１）。なお、ＰＯＳレジスタ２１〜２３による販売情報の送信は、各ＰＯＳレジスタが、販売情報の入力を受け付ける度に実行する構成としてもよいし、所定の時間間隔で実行する構成としてもよい。
【００３７】
販売情報を受信すると、店舗端末３０は、各ＰＯＳレジスタに対応するレジスタ識別情報を提示した販売情報を管理サーバ１０に送信する（ステップＳ１０２）。なお、本例においては、店舗端末３０は、各ＰＯＳレジスタから販売情報と併せてレジスタ識別情報を受信することにより、レジスタ識別情報と販売情報との対応付けを行う。
【００３８】
また、本例においては、店舗端末３０は、所定の時刻に、管理下にあるＰＯＳレジスタから受信した販売情報を管理サーバ１０に送信するものとする。
【００３９】
管理サーバ１０は、販売情報を受信することにより（ステップＳ１０３）、複数のＰＯＳレジスタ２１〜２３それぞれからレジスタ識別情報が提示された販売情報を取得する。
【００４０】
販売情報を取得すると、管理サーバ１０は、取得したレジスタ識別情報の中に、管理サーバＤＢ１１に保存されていないレジスタ識別情報が含まれているか否か判定する（ステップＳ１０４）。ここで、取得したレジスタ識別情報の中に管理サーバＤＢ１１に保存されていないレジスタ識別情報が含まれていないと判定すると（ステップＳ１０４のＮ）、管理サーバ１０は、後述するステップＳ１０６の処理に移行する。
【００４１】
一方、取得したレジスタ識別情報の中に管理サーバＤＢ１１に保存されていないレジスタ識別情報が含まれていると判定すると（ステップＳ１０４のＹ）、管理サーバ１０は、レジスタ識別情報に対応する販売情報の記憶領域を、管理サーバＤＢ１１内に新たに確保する（ステップＳ１０５）。
【００４２】
以下、店舗端末３０が、店舗ＡにおいてＰＯＳレジスタ２１と入れ換えられたＰＯＳレジスタ２１Ａから販売情報を受信し、管理サーバ１０が、管理サーバＤＢ１１に保存されていないレジスタ識別情報「１０１」が提示された販売情報を受信した場合を例にして説明する。すなわち、ＰＯＳレジスタ２１Ａには、予めレジスタ識別情報「１０１」が設定されているものとする。
【００４３】
新たなレジスタ識別情報に対応する販売情報の記憶領域を確保すると、管理サーバ１０は、受信した販売情報を対応する記憶領域に保存して（ステップＳ１０６）、ここでの処理を終了する。
【００４４】
以上のように、ＰＯＳレジスタ管理システム１００は、販売情報保存処理により、例えば図５（Ｂ）に示すように、レジスタ識別情報と対応付けて販売情報を管理サーバＤＢ１１に保存する。
【００４５】
次いで、管理サーバ１０と店舗端末３０とが実行する識別情報調整処理について説明する（図４参照）。
【００４６】
本例における識別情報調整処理は、例えば、管理サーバ１０が、店舗端末３０からの調整指示入力画面の表示要求を受け付けたことにより開始される。
【００４７】
識別情報調整処理において、先ず、管理サーバ１０は、店舗端末３０に、所定の調整指示入力画面を（すなわち、店舗端末３０が備える表示装置の表示画面に所定の調整指示入力画面を表示するための情報を）送信する（ステップＳ２０１）。
【００４８】
調整指示入力画面を受信すると、店舗端末３０は、自己が備える表示装置の表示画面に、調整指示入力画面を表示する（ステップＳ２０２）。
【００４９】
図６は、調整指示入力画面の例について説明するための説明図である。図６に示すように、本例における調整指示入力画面には、調整が（または、調整が必要か否かの判断が）必要なレジスタ識別情報を表示するレジスタ識別情報表示領域１０１と、調整指示の決定要求を受け付けるＯＫボタン１０２と、調整指示入力画面についての詳細な説明画面の表示要求を受け付ける詳細ボタン１０３とが備えられている。
【００５０】
管理サーバ１０は、調整指示入力画面の表示要求を受け付けたことに応じて、管理サーバＤＢ１１を参照し、予め設定されていたレジスタ識別情報（例えば「１」「２」「３」。）と、販売情報保存処理（図３参照）にて新たに設定されたレジスタ識別情報（例えば、ＰＯＳレジスタ２１と入れ換えられたＰＯＳレジスタ２１Ａに対応するレジスタ識別情報「１０１」）とを特定して、それぞれレジスタ識別情報表示領域１０１に配置する。
【００５１】
店舗端末３０は、調整指示入力画面を表示すると、例えば、店舗端末３０の操作者による調整指示を受け付ける（ステップＳ２０３）。以下、店舗端末３０が、レジスタ識別情報「１０１」とレジスタ識別情報「１」とが対応する旨の調整指示を受け付けた場合を例にして説明する。なお、本例においては、店舗端末３０は、店舗端末３０の操作者によるレジスタ識別情報表示領域１０１に対する押下操作に応じて、図６に示すように、レジスタ識別情報「１０１」と対応させるレジスタ識別情報を示すチェックマークＣを表示する（図６参照）。なお、調整指示の受け付け方法はこれに限定されず、管理サーバ１０が、調整対象とするレジスタ識別情報と、調整後のレジスタ識別情報とを特定可能な構成であればよい。
【００５２】
表示画面にチェックマークＣが表示された状態でＯＫボタン１０２の押下を受け付けたことにより、調整指示を受け付けたと判定すると、店舗端末３０は、受け付けた調整指示を管理サーバ１０に送信する（ステップＳ２０４）。
【００５３】
調整指示を受信すると、管理サーバ１０は、受信した調整指示に従って、管理サーバＤＢ１１に記憶されたレジスタ識別情報を調整して（ステップＳ２０５）、ここでの処理を終了する。
【００５４】
なお、本例においては、管理サーバ１０は、図５（Ｂ）と図５（Ｃ）とに示すように、受信した調整指示にて指定された入換後のＰＯＳレジスタ２１Ａのレジスタ識別情報「１０１」を、調整指示にて対応関係が示された（すなわち、調整指示にて指定された）入換前のＰＯＳレジスタ２１のレジスタ識別情報「１」に書き換える。
【００５５】
以上に説明したように、上述した一実施の形態では、店舗内に設置された複数のＰＯＳレジスタ２１〜２Ｎに入力された情報を販売情報として取得し管理する管理サーバ１０が、複数のＰＯＳレジスタ（例えば、店舗Ａに設置された３つのＰＯＳレジスタ２１〜２３）それぞれに予め設定されたレジスタ識別情報（例えば、「１」「２」「３」）に対応付けして、販売情報を記憶する販売情報記憶部（例えば、管理サーバＤＢ１１）を備え、複数のＰＯＳレジスタそれぞれからレジスタ識別情報が提示された販売情報を取得し（例えば、店舗端末３０からレジスタ識別情報が提示された販売情報を受信し）、取得した販売情報を、提示されたレジスタ識別情報に対応付けして販売情報記憶部に保存し、レジスタ識別情報の調整指示を受け付け（例えば、店舗端末３０が受け付けた調整指示を受信し）、調整指示に応じて入換前後の各ＰＯＳレジスタ（例えば、入換前のＰＯＳレジスタ２１と、入換後のＰＯＳレジスタ２１Ａ）のレジスタ識別情報を同一のＰＯＳレジスタのレジスタ識別情報とするために販売情報記憶部に保存されているレジスタ識別情報に所定の調整（例えば、レジスタ識別情報の書き換え）を行う構成としているので、ＰＯＳレジスタの入換に要する作業負担を軽減させることができるようになる。
【００５６】
すなわち、ＰＯＳレジスタの入換（あるいは、代替）を行う場合に、従来のように入換後のＰＯＳレジスタの環境設定を行うことなく、ＰＯＳレジスタの入換を行うだけで販売業務に関する処理を再開することができるようになるため、ＰＯＳレジスタの入換に要する作業負担を極力抑制することができるようになる。
【００５７】
また、ユーザにとっては、ＰＯＳレジスタの故障から販売業務の再開までに、面倒な環境設定の入力を行う必要がなくなるため、ＰＯＳレジスタの入換作業に要する負担が軽減されることとなる。特に、販売業務の継続中にＰＯＳレジスタの入換に伴う環境設定を行う必要がなくなるので、販売業務を長期間停止させてしまうことを回避することができるようになる。
【００５８】
また、上述した実施の形態では、管理サーバ１０が、販売情報記憶部（例えば、管理サーバＤＢ１１）に保存されていないレジスタ識別情報が提示された場合に、提示されたレジスタ識別情報に対応する販売情報の記憶領域を新たに確保し、確保した記憶領域に販売情報を保存する構成としているので、入れ換えられたＰＯＳレジスタについて他の情報を要求することなく、迅速に入換後のＰＯＳレジスタから販売情報を受け付けることができるようになる。すなわち、現場での環境設定をせずに、代替機を設置した時点で機体が稼動可能となる。
【００５９】
なお、上述した実施の形態では特に言及していないが、管理サーバ１０が、複数のＰＯＳレジスタ２１〜２Ｎそれぞれの故障を検知し、故障を検知したＰＯＳレジスタのレジスタ識別情報と同一のレジスタ識別情報が提示された場合に、レジスタ識別情報を新たに付与し、付与したレジスタ識別情報に対応する販売情報の記憶領域を新たに確保し、確保した記憶領域に販売情報を保存する構成としてもよい。
【００６０】
この場合、例えば管理サーバ１０が、特定の時間間隔で店舗端末３０に所定のメッセージを送信し、店舗端末３０からの応答の有無に基づいて故障しているか否かの判定を行う構成とすればよい。
【００６１】
このような構成とすることにより、管理サーバ１０は、ＰＯＳレジスタの故障を検知した後に故障を検知したＰＯＳレジスタのレジスタ識別情報と同一のレジスタ識別情報を提示した販売情報を受け付けた場合に、故障したＰＯＳレジスタが修理されて稼動を再開したのか、あるいは、故障したＰＯＳレジスタと同じレジスタ識別情報が設定された他のＰＯＳレジスタが設置されたのかを判定することなく、販売情報を保存するための処理を継続することができるようになる。すなわち、ＰＯＳレジスタが故障した場合において、迅速にＰＯＳレジスタを入れ換えて対応することができるようになる。
【００６２】
また、例えば、故障を検知したＰＯＳレジスタのレジスタ識別情報が「１」である場合に、管理サーバ１０が、新たに付与するレジスタ識別情報を、故障を検知したＰＯＳレジスタのレジスタ識別情報との関連性を示すもの（例えば、「１−１」など）にすることにより、データの承継を円滑にすることができるようになる。すなわち、調整指示を受け付けるときにレジスタ識別情報の関連性をユーザ（例えば、店舗端末３０の操作者）示すことができるので、ユーザにとって調整指示の入力が容易となる。
【００６３】
また、上述した実施の形態では、管理サーバ１０が、所定の調整として、調整指示にて指定された入換後のＰＯＳレジスタのレジスタ識別情報（例えば、入換後のＰＯＳレジスタ２１Ａに対応するレジスタ識別情報「１０１」）を調整指示にて指定された入換前のＰＯＳレジスタのレジスタ識別情報（例えば、入換前のＰＯＳレジスタ２１に対応するレジスタ識別情報「１」）に書き換える構成としているので、ＰＯＳレジスタの入換に伴うＰＯＳレジスタ間の対応を明確にすることができるようになる。
【００６４】
また、ＰＯＳレジスタ間の対応を明確にすることで、入換後のＰＯＳレジスタに入換前のＰＯＳレジスタが持っていたデータを取り込み可能にすることができるようになる。
【００６５】
また、上述した実施の形態では特に言及していないが、管理サーバ１０が、所定の調整として、調整指示にて指定された入換後のＰＯＳレジスタのレジスタ識別情報（例えば、レジスタ識別情報「１０１」）と、調整指示にて指定された入換前のＰＯＳレジスタのレジスタ識別情報（例えば、レジスタ識別情報「１」）とを対応付けする処理を行う構成としてもよい。
【００６６】
すなわち、例えば、管理サーバ１０が、販売情報を取得した時刻に従って、入換前のＰＯＳレジスタ２１のレジスタ識別情報を「１−１」とし、入換後のＰＯＳレジスタ２１Ａのレジスタ識別情報を「１−２」とする（すなわち、レジスタ識別情報として枝番を設定する）構成としてもよい。また、例えば、管理サーバ１０が、レジスタ識別情報として、「１  201102211200」「１  201102211201」のように、タイムスタンプを設定する構成としてもよい。
【００６７】
このような構成とすることにより、販売情報記憶部（例えば、管理サーバＤＢ１１）に記憶された複数の販売情報間の対応をより明確にすることができるようになる。
【００６８】
なお、上述した実施の形態では特に言及していないが、管理サーバ１０が、レジスタ識別情報が設定されていないＰＯＳレジスタからの販売情報に対して、仮のレジスタ識別情報（例えば、仮番号）を設定する構成としてもよい。
【００６９】
なお、上述した実施の形態では、管理サーバ１０と店舗端末３０を別個に設ける構成としていたが、これらを一つのサーバ装置で構成するようにしてもよい。すなわち、管理サーバ１０に店舗端末３０の機能を持たせる構成としてもよい。
【００７０】
なお、上述した実施の形態では特に言及していないが、管理サーバ１０は、自己が備える記憶媒体に格納されている処理プログラム（ＰＯＳレジスタ管理処理プログラム）に従って、上述した各種の処理（図３および図４参照）を実行する。
【産業上の利用可能性】
【００７１】
本発明によれば、ＰＯＳレジスタに入力された情報を管理するシステムにおいて、ＰＯＳレジスタの入換に要する作業負担を軽減するのに有用である。
【符号の説明】
【００７２】
１０                            管理サーバ
１１                            管理サーバＤＢ
２１〜２Ｎ                      ＰＯＳレジスタ
３０                            店舗端末
５０                            通信ネットワーク
６０                            通信ネットワーク
１００                          ＰＯＳレジスタ管理システム
【図１】
0005706205.tif 000002
【図２】
0005706205.tif 000003
【図３】
0005706205.tif 000004
【図４】
0005706205.tif 000005
【図５】
0005706205.tif 000006
【図６】
0005706205.tif 000007